【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
少なくとも画像送信機能を含む複数の機能を備える複合画像処理装置であって、
前記複数の機能のいずれかに関するジョブを実行するジョブ実行手段と、
前記ジョブ実行手段による前記画像送信機能に関するジョブの実行に伴い、前記ジョブの実行の結果を示す結果情報を出力する出力手段と、
前記複数の機能の少なくとも１つ以上の機能とその実行順序を示すマクロデータに基づいて、前記マクロデータが示す機能に関するジョブを前記ジョブ実行手段に実行させるためのマクロ実行手段と、
前記マクロ実行手段が前記ジョブ実行手段に実行させたジョブが前記画像送信機能を実行するためのジョブであり、前記マクロデータが前記画像送信機能の後に実行する機能があることを示す場合、前記ジョブの実行に伴って前記出力手段が結果情報を出力しないよう制御する制御手段と、を備えることを特徴とする複合画像処理装置。
【請求項２】
前記制御手段は、前記マクロ実行手段が前記ジョブ実行手段に実行させたジョブが前記画像送信機能を実行するためのジョブであり、前記マクロデータが前記画像送信機能の後に実行する機能が無いことを示す場合、前記ジョブの実行に伴って前記出力手段が結果情報を出力することを許可するよう制御することを特徴とする、請求項１に記載の複合画像処理装置。
【請求項３】
前記制御手段は、前記ジョブ実行手段が実行するジョブに対して結果情報を出力しないことを示すジョブ属性を設定することで、前記出力手段が結果情報を出力しないよう制御することを特徴とする、請求項１または請求項２のいずれか１項に記載の複合画像処理装置。
【請求項４】
更に、画像送信機能に関するジョブの実行に伴い前記出力手段が結果情報を出力するか否かを設定する出力設定を記憶する記憶手段を備え、
前記出力手段は、前記ジョブ実行手段が結果情報を出力しないことを示すジョブ属性が設定された画像送信ジョブを実行した場合には、前記記憶手段に記憶された前記出力設定に関わらず結果情報を出力しないことを特徴とする、請求項３に記載の複合画像処理装置。
【請求項５】
少なくとも画像送信機能を含む複数の機能を備える複合画像処理装置であって、
前記複数の機能のいずれかに関するジョブを実行するジョブ実行手段と、
前記ジョブ実行手段による前記画像送信機能に関するジョブの実行に伴い、前記ジョブの実行の結果を示す結果情報を出力する出力手段と、
前記複数の機能の少なくとも１つ以上の機能とその実行順序を示すマクロデータに基づいて、前記マクロデータが示す機能に関するジョブを前記ジョブ実行手段に実行させるためのマクロ実行手段と、
画像データを記憶するための記憶手段と、
前記マクロ実行手段が前記ジョブ実行手段に実行させたジョブが前記画像送信機能による前記記憶手段を宛先とする画像送信を実行するためのジョブである場合、前記ジョブの実行に伴って前記出力手段が結果情報を出力しないよう制御する制御手段と、を備えることを特徴とする複合画像処理装置。
【請求項６】
前記制御手段は、前記マクロ実行手段が前記ジョブ実行手段に実行させたジョブが前記画像送信機能による外部の端末を宛先とする画像送信を実行するためのジョブである場合、前記ジョブの実行に伴って前記出力手段が結果情報を出力することを許可するよう制御することを特徴とする、請求項５に記載の複合画像処理装置。
【請求項７】
少なくとも画像送信機能を含む複数の機能を備える複合画像処理装置の制御方法であって、
前記複数の機能のいずれかに関するジョブを実行するジョブ実行工程と、
前記ジョブ実行工程における前記画像送信機能に関するジョブの実行に伴い、前記ジョブの実行の結果を示す結果情報を出力する出力工程と、
前記複数の機能の少なくとも１つ以上の機能の実行順序を示すマクロデータに基づいて、前記マクロデータが示す機能に関するジョブを前記ジョブ実行工程で実行させるためのマクロ実行工程と、
前記マクロ実行工程において前記ジョブ実行工程に実行させたジョブが前記画像送信機能を実行するためのジョブであり、前記マクロデータが前記画像送信機能の後に実行する機能があることを示す場合、前記出力工程において前記ジョブの実行に伴う結果情報を出力しないよう制御する制御工程と、を備えることを特徴とする制御方法。
【請求項８】
少なくとも画像送信機能を含む複数の機能を備える複合画像処理装置の制御方法であって、
前記複数の機能のいずれかに関するジョブを実行するジョブ実行工程と、
前記ジョブ実行工程における前記画像送信機能に関するジョブの実行に伴い、前記ジョブの実行の結果を示す結果情報を出力する出力工程と、
前記複数の機能の少なくとも１つ以上の機能の実行順序を示すマクロデータに基づいて、前記マクロデータが示す機能に関するジョブを前記ジョブ実行工程で実行させるマクロ実行工程と、
前記マクロ実行工程において前記ジョブ実行工程に実行させたジョブが前記画像送信機能によるジョブであり、かつ、当該ジョブが前記複合画像処理装置が備える記憶手段を宛先とする場合、前記出力工程において前記ジョブの実行に伴う結果情報を出力しないよう制御する制御工程と、を備えることを特徴とする制御方法。
【請求項９】
少なくとも画像送信機能を含む複数の機能を備える複合画像処理装置の制御方法を複合画像処理装置に実行させるための制御プログラムであって、前記制御方法は、
前記複数の機能のいずれかに関するジョブを実行するジョブ実行工程と、
前記ジョブ実行工程における前記画像送信機能に関するジョブの実行に伴い、前記ジョブの実行の結果を示す結果情報を出力する出力工程と、
前記複数の機能の少なくとも１つ以上の機能の実行順序を示すマクロデータに基づいて、前記マクロデータが示す機能に関するジョブを前記ジョブ実行工程で実行させるためのマクロ実行工程と、
前記マクロ実行工程において前記ジョブ実行工程に実行させたジョブが前記画像送信機能を実行するためのジョブであり、前記マクロデータが前記画像送信機能の後に実行する機能があることを示す場合、前記出力工程において前記ジョブの実行に伴う結果情報を出力しないよう制御する制御工程と、を備えることを特徴とする制御プログラム。
【請求項１０】
少なくとも画像送信機能を含む複数の機能を備える複合画像処理装置の制御方法を複合画像処理装置に実行させるための制御プログラムであって、前記制御方法は、
前記複数の機能のいずれかに関するジョブを実行するジョブ実行工程と、
前記ジョブ実行工程における前記画像送信機能に関するジョブの実行に伴い、前記ジョブの実行の結果を示す結果情報を出力する送信結果レポート出力工程と、
前記複数の機能の少なくとも１つ以上の機能の実行順序を示すマクロデータに基づいて、前記マクロデータが示す機能に関するジョブを前記ジョブ実行工程で実行させるマクロ実行工程と、
前記マクロ実行工程において前記ジョブ実行工程に実行させたジョブが前記画像送信機能によるジョブであり、かつ、当該ジョブが前記複合画像処理装置が備える記憶手段を宛先とする場合、前記出力工程において前記ジョブの実行に伴う結果情報を出力しないよう制御する制御工程と、を備えることを特徴とする制御プログラム。
【手続補正２】
【補正対象書類名】明細書
【補正対象項目名】０００７
【補正方法】変更
【補正の内容】
【０００７】
上述のような課題を解決するために、本発明の複合画像処理装置は、少なくとも画像送信機能を含む複数の機能を備える複合画像処理装置であって、前記複数の機能のいずれかに関するジョブを実行するジョブ実行手段と、前記ジョブ実行手段による前記画像送信機能に関するジョブの実行に伴い、前記ジョブの実行の結果を示す結果情報を出力する出力手段と、前記複数の機能の少なくとも１つ以上の機能とその実行順序を示すマクロデータに基づいて、前記マクロデータが示す機能に関するジョブを前記ジョブ実行手段に実行させるためのマクロ実行手段と、前記マクロ実行手段が前記ジョブ実行手段に実行させたジョブが前記画像送信機能を実行するためのジョブであり、前記マクロデータが前記画像送信機能の後に実行する機能があることを示す場合、前記ジョブの実行に伴って前記出力手段が結果情報を出力しないよう制御する制御手段と、を備えることを特徴とする。
【手続補正３】
【補正対象書類名】明細書
【補正対象項目名】０００８
【補正方法】変更
【補正の内容】
【０００８】
また、本発明の複合画像処理装置は、少なくとも画像送信機能を含む複数の機能を備える複合画像処理装置であって、前記複数の機能のいずれかに関するジョブを実行するジョブ実行手段と、前記ジョブ実行手段による前記画像送信機能に関するジョブの実行に伴い、前記ジョブの実行の結果を示す結果情報を出力する出力手段と、前記複数の機能の少なくとも１つ以上の機能とその実行順序を示すマクロデータに基づいて、前記マクロデータが示す機能に関するジョブを前記ジョブ実行手段に実行させるためのマクロ実行手段と、画像データを記憶するための記憶手段と、前記マクロ実行手段が前記ジョブ実行手段に実行させたジョブが前記画像送信機能による前記記憶手段を宛先とする画像送信を実行するためのジョブである場合、前記ジョブの実行に伴って前記出力手段が結果情報を出力しないよう制御する制御手段と、を備えることを特徴とする。
【手続補正４】
【補正対象書類名】明細書
【補正対象項目名】０００９
【補正方法】変更
【補正の内容】
【０００９】
また、本発明の複合画像処理装置の制御方法は、少なくとも画像送信機能を含む複数の機能を備える複合画像処理装置の制御方法であって、前記複数の機能のいずれかに関するジョブを実行するジョブ実行工程と、前記ジョブ実行工程における前記画像送信機能に関するジョブの実行に伴い、前記ジョブの実行の結果を示す結果情報を出力する出力工程と、前記複数の機能の少なくとも１つ以上の機能の実行順序を示すマクロデータに基づいて、前記マクロデータが示す機能に関するジョブを前記ジョブ実行工程で実行させるためのマクロ実行工程と、前記マクロ実行工程において前記ジョブ実行工程に実行させたジョブが前記画像送信機能を実行するためのジョブであり、前記マクロデータが前記画像送信機能の後に実行する機能があることを示す場合、前記出力工程において前記ジョブの実行に伴う結果情報を出力しないよう制御する制御工程と、を備えることを特徴とする。
【手続補正５】
【補正対象書類名】明細書
【補正対象項目名】００１０
【補正方法】変更
【補正の内容】
【００１０】
また、本発明の複合画像処理装置の制御方法は、少なくとも画像送信機能を含む複数の機能を備える複合画像処理装置の制御方法であって、前記複数の機能のいずれかに関するジョブを実行するジョブ実行工程と、前記ジョブ実行工程における前記画像送信機能に関するジョブの実行に伴い、前記ジョブの実行の結果を示す結果情報を出力する出力工程と、前記複数の機能の少なくとも１つ以上の機能の実行順序を示すマクロデータに基づいて、前記マクロデータが示す機能に関するジョブを前記ジョブ実行工程で実行させるマクロ実行工程と、前記マクロ実行工程において前記ジョブ実行工程に実行させたジョブが前記画像送信機能によるジョブであり、かつ、当該ジョブが前記複合画像処理装置が備える記憶手段を宛先とする場合、前記出力工程において前記ジョブの実行に伴う結果情報を出力しないよう制御する制御工程と、を備えることを特徴とする。